(57)【要約】【課題】妻板の外側および内側に出っ張りが生じるのを解消することで棺の見た目を良好にし、棺内の収納空間を広く確保することが可能な組立式段ボール棺を提供する。【解決手段】段ボール棺１０は、強化段ボールからなる底板１２Ａと、側板１２Ｂと、妻板１２Ｃとを備える。底板１２Ａおよび側板１２Ｂの前後の端部、並びに妻板１２Ｃの左右の端部には、木材または樹脂からなる底板枠材１５Ａ、側板枠材１５Ｂ、妻板枠材１５Ｃがそれぞれ底板１２Ａ、側板１２Ｂおよび妻板１２Ｃとほぼ同一平面上に連なるように取り付けられる。側板枠材１５Ｂと妻板枠材１５Ｃとの互いに向き合う端面には係合溝１６ｂおよび係合突起１６ａが高さ方向に設けられる。妻板１２Ｃが底板１２Ａの前後の端部に落とし込まれるとき、係合溝１６ａに係合突起１６ｂが上方からスライド挿入されることにより、左右の側板１２Ｂの展開がロックされる。【選択図】図３
0003201243.tif 000002
【実用新案登録請求の範囲】
【請求項１】
強化段ボールからなる底板（１２Ａ）と、
この底板（１２Ａ）の左右端部にＶ溝を介して連結され、これらのＶ溝に沿ってほぼ垂直に折り曲げられる強化段ボールからなる左右の側板（１２Ｂ）と、
前記底板（１２Ａ）の前後の端部に落とし込まれて、前記左右の側板（１２Ｂ）の展開をロックする妻板（１２Ｃ）とを備えた段ボール棺であって、
前記底板（１２Ａ）の前後の端部にそれぞれ取り付けられる木材または樹脂からなる底板枠材（１５Ａ）と、
前記側板（１２Ｂ）の前後の端部にそれぞれ取り付けられる木材または樹脂からなる側板枠材（１５Ｂ）と、
前記妻板（１２Ｃ）の左右の端部にそれぞれ取り付けられる木材または樹脂からなる妻板枠材（１５Ｃ）とを備え、
これらの底板枠材（１５Ａ）、側板枠材（１５Ｂ）および妻板枠材が、それぞれ前記底板（１２Ａ）、前記左右の側板（１２Ｂ）および前記妻板（１２Ｃ）の各板面とほぼ同一平面上に連なるように設けられ、しかも、底板枠材（１５Ａ）、側板枠材（１５Ｂ）および妻板枠材（１２Ｃ）から一体的に延びる固定片（１８）が、底板（１２Ａ）、側板（１２Ｂ）および妻板（１２Ｃ）の強化段ボールの板面にそれぞれ接着固定されており、
加えて、
前記側板枠材（１５Ｂ）の左右に向き合う各端面にその長さ方向に沿って設けられる係合溝（１６ａ）と、
前記妻板枠材（１５Ｃ）の左右の端面にその長さ方向に沿って設けられる係合突起（１６ｂ）とを有し、
前記妻板（１２Ｃ）が前記底板（１２Ａ）の前後の端部に落とし込まれるとき、前記係合溝（１６ａ）に前記係合突起（１６ｂ）が上方からスライド挿入されることにより、前記左右の側板（１２Ｂ）の展開がロックされるように構成したことを特徴とする組立式段ボール棺。
【請求項２】
請求項１記載の組立式段ボール棺であって、前記底板枠材（１５Ａ）と前記側板枠材（１５Ｂ）との各端部に、前記側板（１２Ｂ）をＶ溝に沿って折り曲げるときに継ぎ合わされて、前記左右の側板（１２Ｂ）の前後位置を揃える位置決め手段（１９ａ，１９ｂ）が設けられる、組立式段ボール棺。
【請求項３】
請求項２記載の組立式段ボール棺であって、
前記位置決め手段が、
前記側板枠材（１５Ｂ）の下端部に下方および側方に開放するように設けられるほぞ溝（１９ａ）と、
前記底板枠材（１５Ａ）の左右の端部に左右外向きに設けられる平板状のほぞ片（１９ｂ）とを備え、
前記底板（１２Ａ）の左右で前記側板（１２Ｂ）をＶ溝に沿って折り曲げるとき、前記ほぞ片（１９ｂ）が前記ほぞ溝（１９ａ）に摺動自在に嵌め込まれる、組立式段ボール棺。
【請求項４】
請求項１、２または３記載の組立式段ボール棺であって、前記側板枠材（１５Ｂ）に設けられる係合溝（１６ａ）と、前記妻板枠材（１５Ｃ）に設けられる係合突起（１６ｂ）との位置関係が逆である、組立式段ボール棺。
【請求項５】
請求項３または４記載の組立式段ボール棺であって、前記側板枠材（１５Ｂ）に設けられるほぞ溝（１９ａ）と、前記底板枠材（１５Ａ）に設けられるほぞ片（１９ｂ）との位置関係が逆である、組立式段ボール棺。
【考案の詳細な説明】
【技術分野】
【０００１】
この考案は、組立式段ボール棺に関するもので、詳しくは、強化段ボールの展開シートを箱状に折り曲げて組み立てる組立式段ボール棺に関する。
【背景技術】
【０００２】
従来より、木製棺に代わる棺として段ボール棺が知られている。段ボール棺は、底板、側板、妻板等の主要部に強化段ボール材を採用するもので、木製棺に比べ軽量で燃焼性に優れるため、環境に優しい葬送品として注目されている。
【０００３】
このような段ボール棺のうち、強化段ボールからなる展開シートを箱状に折り曲げて底板、左右の側板および妻板を形成し、その妻板の上方に落とし錠部材を落とし込んで、左右の側板の展開をロックするようにした組立式段ボール棺が開発されている（特許文献１参照）。
【０００４】
例えば図１８に示すように、この種の段ボール棺１は、強化段ボールからなる箱状の棺本体２と落とし錠部材３とを備える。棺本体２は、強化段ボールの展開シートに形成されたＶ溝に沿って底板２Ａ、側板２Ｂ，２Ｂおよび妻板２Ｃをほぼ垂直に折り曲げて形成される。妻板２Ｃは、底板２Ａから上向きに折り曲げられる底妻部２Ｃａと、左右の側板２Ｂ，２Ｂから内向きに折り曲げられる側妻部２Ｃｂ，２Ｃｂとを有し、その上端から下方に向けて３箇所の縦スリットＳ１，Ｓ１およびＳ２を備える。落とし錠部材３は、強化段ボールを下向きコ字形に折り曲げてなる部材であって、その内側の空間にロック爪Ｔ１，Ｔ１およびＴ２を備えている。
【０００５】
段ボール棺１を組み立てる場合、底板２Ａの左右で側板２Ｂ，２Ｂを、底板２Ａの前後に妻板２Ｃ（底妻部２Ｃａおよび側妻部２Ｃｂ，２Ｃｂ）をそれぞれほぼ垂直に折り曲げる。この状態で、図１８に示すように、妻板２Ｃの上方から落とし錠部材３を落とし込み、縦スリットＳ１，Ｓ１およびＳ２にロック爪Ｔ１，Ｔ１およびＴ２を嵌める。これにより、側板２Ｂ，２Ｂの外側への展開をロックする。
このような組立式段ボール棺では、強化段ボールの展開シートから、接着剤を使用することなく棺本体（箱体）を簡単に組み立てることができる。
【先行技術文献】
【特許文献】
【０００６】
【特許文献１】特開２００８−２７２１３５号公報
【考案の概要】
【考案が解決しようとする課題】
【０００７】
しかしながら、このような従来の組立式段ボール棺１では、その組立時に妻板２Ｃに落とし錠部材３が覆い被さるため、妻板２Ｃの外側および内側に落とし錠部材３の板厚に応じた出っ張りが生じてしまう。このため、一般的な箱型棺と比較した場合、違和感のある形状となって見た目が悪くなる。また、妻板の内側に生じる落とし錠部材の出っ張りが、棺内の収納空間を狭くするといった問題もある。
【０００８】
本考案は、このような現状に鑑みなされたもので、妻板の外側および内側に出っ張りが生じるのを解消することで棺の見た目を良好にし、しかも、棺内の収納空間を広く確保することが可能な組立式段ボール棺を提供することを目的としている。
【課題を解決するための手段】
【０００９】
［第１考案］
前記課題を解決するために第１考案の組立式段ボール棺は、
強化段ボールからなる底板（１２Ａ）と、
この底板（１２Ａ）の左右端部にＶ溝を介して連結され、これらのＶ溝に沿ってほぼ垂直に折り曲げられる強化段ボールからなる左右の側板（１２Ｂ）と、
前記底板（１２Ａ）の前後の端部に落とし込まれて、前記左右の側板（１２Ｂ）の展開をロックする妻板（１２Ｃ）とを備えた段ボール棺であって、
前記底板（１２Ａ）の前後の端部にそれぞれ取り付けられる木材または樹脂からなる底板枠材（１５Ａ）と、
前記側板（１２Ｂ）の前後の端部にそれぞれ取り付けられる木材または樹脂からなる側板枠材（１５Ｂ）と、
前記妻板（１２Ｃ）の左右の端部にそれぞれ取り付けられる木材または樹脂からなる妻板枠材（１５Ｃ）とを備え、
これらの底板枠材（１５Ａ）、側板枠材（１５Ｂ）および妻板枠材が、それぞれ前記底板（１２Ａ）、前記左右の側板（１２Ｂ）および前記妻板（１２Ｃ）の各板面とほぼ同一平面上に連なるように設けられ、しかも、底板枠材（１５Ａ）、側板枠材（１５Ｂ）および妻板枠材（１２Ｃ）から一体的に延びる固定片（１８）が、底板（１２Ａ）、側板（１２Ｂ）および妻板（１２Ｃ）の強化段ボールの板面にそれぞれ接着固定されており、
加えて、
前記側板枠材（１５Ｂ）の左右に向き合う各端面にその長さ方向に沿って設けられる係合溝（１６ａ）と、
前記妻板枠材（１５Ｃ）の左右の端面にその長さ方向に沿って設けられる係合突起（１６ｂ）とを有し、
前記妻板（１２Ｃ）が前記底板（１２Ａ）の前後の端部に落とし込まれるとき、前記係合溝（１６ａ）に前記係合突起（１６ｂ）が上方からスライド挿入されることにより、前記左右の側板（１２Ｂ）の展開がロックされる構成とした。
【００１０】
このような構成によれば、底板の左右に折り曲げられる側板の展開が、妻板の落とし込みと同時に、側板枠材（係合溝）と妻板枠材（係合突起）の係合によりロックされる。このため、従来形態のような妻板の前後に嵌る落とし錠部材が不要になる。
そして、これらの底板枠材、側板枠材および妻板枠材は、底板、側板および妻板の各板面とほぼ同一平面上に連なるように配置されるため、これらの枠材により段差が生じたり、強化段ボールの断面が見えることもない。
この結果、妻板の外側および内側に出っ張りが生じるのを解消することができ、一般的な箱形棺と同様な高級感のあるシンプルな棺の外観に仕上げることができる。加えて、妻板の内側に出っ張りが生じないため、棺の収納空間を広く確保することができる。
【００１１】
ここで、本考案の構成では、強化段ボールからなる底板、側板および妻板に、木材または樹脂からなる各枠材をその固定片により一体的に取り付ける。つまり、各板の端部に木材または樹脂からなる枠材を効果的に付加して上記の課題を解決した点に特徴がある。
強化段ボールのみからなる段ボール棺の場合、材料自体の強度が木材や樹脂に比べ不足するために、係合溝と係合突起とを嵌め合わせたときの引っ張り強度が弱くなる。このため、両者の係合が外れやすく、棺の耐久性が低下するおそれがある。これに対し、本考案の構成では、側板および妻板に木材または樹脂からなる枠材をその固定片により別個に取り付け、これらの枠材に係合溝および係合突起を設けることで、これらの引っ張り強度を大幅に高めることができる。
さらには、底板枠材、側板枠材および妻板枠材により棺の角部の潰れや変形が抑えられるため、段ボール棺の耐久性を向上させる効果も得ることができる。
【００１２】
［第２考案］
第１考案の構成において、底板の左右で側板を折り曲げる場合、段ボールの特性上、左右の側板が前後に若干ズレることがある。このようなズレが顕著な場合、段ボール棺を組み立てる際に、側板枠材の係合溝に妻板枠材の係合突起がうまく入らず、組み立て作業に支障を来すこともある。
【００１３】
そこで、第２考案の組立式段ボール棺は、第１考案の構成を備えるものであって、前記底板枠材（１５Ａ）と前記側板枠材（１５Ｂ）との各端部に、前記側板（１２Ｂ）をＶ溝に沿って折り曲げるときに継ぎ合わされて、前記左右の側板（１２Ｂ）の前後位置を揃える位置決め手段（１９ａ，１９ｂ）を設ける構成とした。
【００１４】
このような構成によれば、底板の左右でＶ溝に沿って側板を折り曲げるとき、左右の側板の前後位置が位置決め手段によって正確に位置決めされる。これにより、側板枠材の係合溝の位置が安定し、妻板枠材の係合突起を嵌めやすくすることができ、段ボール棺の組み立て作業を容易にすることができる。
【００１５】
［第３考案］
第２考案の構成において、前記底板枠材と前記側板枠材との各端部に位置決め手段を採用する場合、寸法通りに段ボール棺を組み立てても、温度や湿度の変化で段ボールが伸縮し、底板や側板の長さが若干変動することがある。このような段ボールの伸縮は、木材または樹脂からなる各枠材に影響を及ぼすことが想定される。
考案者らの試作によれば、棺底の角部分、すなわち底板枠材と側板枠材との継ぎ合わせ部分（各端部）に段ボール材の伸縮に伴う隙間が生じることが明らかになった。このような不具合は、棺の見た目を悪化させ、強度低下の原因にもなりうる。
【００１６】
そこで、第３考案の組立式段ボール棺は、第２考案の構成を備えるものであって、
前記位置決め手段が、
前記側板枠材（１５Ｂ）の下端部に下方および側方に開放するように設けられるほぞ溝（１９ａ）と、
前記底板枠材（１５Ａ）の左右の端部に左右外向きに設けられる平板状のほぞ片（１９ｂ）とを備え、
前記底板（１２Ａ）の左右で前記側板（１２Ｂ）をＶ溝に沿って折り曲げるとき、前記ほぞ片（１９ｂ）が前記ほぞ溝（１９ａ）に摺動自在に嵌め込まれる構成とした。
【００１７】
このような構成によれば、底板の左右でＶ溝に沿って側板を折り曲げるとき、側板枠材のほぞ溝と底板枠材のほぞ片とが位置決め手段となって側板の位置を前後に揃える。これにより、係合溝と係合突起との係合位置が安定し、段ボール棺の組み立て作業を容易にすることができる。
段ボール材の伸縮により側板枠材および底板枠材の位置にズレが生じた場合には、このようなズレがほぞ片とほぞ溝との間に吸収される。すなわち、ほぞ溝内の範囲でほぞ片が適宜移動するため、両枠材の継ぎ合わせ部分（各端部）に隙間が生じることが防止される。これにより、温度や湿度が変化しても、段ボール棺の外観の仕上がりを良好に保つことができる。
【００１８】
［第１〜３考案］
第１および第２考案は、強化段ボールからなる展開シートを箱状に折り曲げて棺本体を組み立てる段ボール棺に適用することができる。通常は、段ボール棺の棺本体と蓋のうち、箱状の棺本体に本考案を適用されることが想定されるが、蓋が箱状になっている場合には、接着剤等を用いることで、段ボール棺の蓋にも本考案を適用することができる。
段ボール棺の用途（人用、ペット用等）や種類（寝棺、座棺等）は、特に限定されることはない。
【００１９】
第１考案における係合溝と係合突起との位置関係は、必ずしも上記に限られず、係合溝を妻板枠材に設け、係合突起を側板枠材に設けるようにしてもよい。この場合でも、第１考案と同様な作用・効果を得ることができる。
第３考案におけるほぞ溝とほぞ片との位置関係は、必ずしも上記に限られず、ほぞ溝をを底板枠材に設け、ほぞ片を側板枠材に設けるようにしてもよい。この場合でも、第３考案と同様な作用・効果を得ることができる。
妻板は、強化段ボールで形成することが望ましいが、妻板と妻板枠材を含めた全体を木材または樹脂で形成することもできる。
第１〜３考案において、各枠材を「木材」で形成する場合、その種類は限定されないが、無垢材として棺の材料に使用されるものが望ましく、例えば桐（キリ）、檜（ヒノキ）、欅（ケヤキ）、杉（スギ）、樅（モミ）等を採用することができる。もちろん集成材や圧縮成形材（パーティクルボード等）を含む木質材料を用いることも可能である。各枠材を「樹脂」で形成する場合は、上記の木材と同等な硬さと燃焼性を有するものであることが望ましい。
【００２０】
なお、第１〜３考案は、単独で適用してもよいし、これらの考案を必要に応じて組み合わせて適用することもできる。また、第１および第２考案に本明細書に記載される他の考案を組み合わせてもよい。
【図面の簡単な説明】
【００２１】
【図１】本考案の第１実施形態の組立式段ボール棺を示す斜視図である。
【図２】同段ボール棺を示すもので、図１の［II］−［II］線断面図およびＲ1部分の拡大断面図である。
【図３】同段ボール棺の妻板部分を示す分解斜視図である。
【図４】同段ボール棺を示すもので、（Ａ）は妻板方向から見た正面図、（Ｂ）は［Ｂ］−［Ｂ］線部分断面図である。
【図５】図４（Ｂ）の部分拡大断面図である。
【図６】同段ボール棺の妻板を示すもので、（Ａ）は平面図、（Ｂ）は正面図、（Ｃ）は［Ｃ］−［Ｃ］線断面図、（Ｄ）は背面図である。
【図７】同段ボール棺の棺本体（箱体）を組み立てるための展開シートを示す平面図および破線方向の端面図である。
【図８】同段ボール棺の底板枠材と側板枠材との継ぎ合わせ部分を示すもので、（Ａ）は組立前の部分拡大斜視図、（Ｂ）は組立後の部分拡大斜視図である。
【図９】同段ボール棺の底板枠材と側板枠材との継ぎ合わせ部分の作用を説明するための模式図である。
【図１０】同段ボール棺の底板枠材と側板枠材との継ぎ合わせ部分の変形例を示す部分拡大斜視図である。
【図１１】第２実施形態の組立式段ボール棺を示す図２対応断面図およびＲ2部分の拡大断面図である。
【図１２】第２実施形態の組立式段ボール棺を示すもので、（Ａ）は図４対応正面図、（Ｂ）は［Ｂ］−［Ｂ］線部分断面図である。
【図１３】第３実施形態の組立式段ボール棺の妻板部分を示す分解斜視図である。
【図１４】同段ボール棺の底板枠材と側板枠材との継ぎ合わせ部分の変形例を示す部分拡大図である。
【図１５】第１〜３実施形態の組立式段ボール棺の変形例（１）を示す断面図である。
【図１６】第１〜３実施形態の組立式段ボール棺の変形例（２）を示す断面図である。
【図１７】第１〜３実施形態の組立式段ボール棺の変形例（３）を示す断面図である。
【図１８】従来形態の組立式段ボール棺の妻板部分を示す分解斜視図である。
【考案を実施するための形態】
【００２２】
以下、本考案の実施形態を図面に基づいて説明する。
本実施形態の組立式段ボール棺は、棺本体と蓋とを組み合わせてなるもので、箱状の棺本体に本考案が適用される。
【００２３】
［第１実施形態］
図１に示すように、段ボール棺１０は、棺本体１２と蓋１３とからなる。棺本体１２の上方に蓋１３が開閉自在に載置される。蓋１３の片寄りの位置には、窓枠１４が設けられる。この窓枠１４には観音扉が取り付けられ、これらの扉を開くことで棺の内部が覗けるようになっている。
段ボール棺１０の寸法は、例えば長さが１７０〜２００ｃｍ程度、幅が５０〜７０ｃｍ程度、棺本体１２と蓋１３を含めた高さが４０〜５０ｃｍ程度である。
【００２４】
棺本体１２および蓋１３の主要部は、強化段ボールにより形成される。本実施形態では、強化段ボールとして板厚１０〜２０ｍｍ程度の二層強化段ボール（例えばトライウォール社製）が採用される。この強化段ボールは、図２のＲ1部分拡大図に示すように、２枚の厚板（ライナー）Ｒb，Ｒfとの間に、２層の波板ｒ1およびｒ2が仕切り板ｒ3を介して積層されてなるもので、優れた耐圧性・耐水性をもつ。
強化段ボールに折曲げ用のＶ溝を形成するには、これらの層のうち厚板Ｒf，Ｒbのいずれかを残して他の層を回転刃等を用いて切削する。強化段ボールを折り曲げる際には、残した片方の厚板（ライナー）のみを折り曲げて、Ｖ溝の傾斜する溝面を互いに密着させる。Ｖ溝の溝角がほぼ９０゜になるようにＶ溝加工を施せば、隣り合う板同士がほぼ垂直に折れ曲がる。また他のＶ溝の形成方法としては、プレス機等で段ボール板を断面Ｖ字状に圧縮してもよい。
【００２５】
段ボール棺１０の表面には、必要に応じて布やフィルムなどの化粧シートが貼り付けられる。このような化粧仕上げ施すことで、段ボール棺１０の質感が高められる。
【００２６】
図１に示すように、棺本体１２は、底板１２Ａと、左右の側板１２Ｂ，１２Ｂと、前後の妻板１２Ｃ，１２Ｃとを備える。矩形の底板１２Ａの左右に側板１２Ｂ，１２Ｂが垂直に立ち上げられ、前後に妻板１２Ｃがほぼ垂直に立ち上げられる。
底板１２Ａと側板１２Ｂ，１２Ｂとは、後述するように、強化段ボールからなる一枚の展開シートを上向きコの字形に折り曲げて形成される。妻板１２Ｃは、側板１２Ｂ，１２Ｂの間に落とし込まれるもので、展開シートとは別個の強化段ボールを矩形にカットして形成される。
【００２７】
図１に示すように、棺本体１２の開口端部には折返し板１２Ｄが設けられる。この折返し板１２Ｄは、強化段ボールの端部を２列に並んだＶ溝で折り返してなるもので、側板１２Ｂ，１２Ｂおよび妻板１２Ｃ，１２Ｃのそれぞれ上端部内側に形成される。これらの折返し板１２Ｄによって棺本体１２の開口端部の強度が高められる。また、棺本体１２の上端面の面積が一枚の強化段ボールの厚み以上に確保されるため、蓋１３を載せたときの安定感が増す。
【００２８】
棺本体１２の内側であってその四隅部、および棺底の前後端部には、内張り板１２Ｅが設けられる（図３〜図６参照）。これらの内張り板１２Ｅは、強化段ボールを縦長矩形側にカットしてなるもので、底板１２Ａ、側板１２Ｂ，１２Ｂおよび妻板１２Ｃ，１２Ｃの端部に接着剤で貼り付けられる。内張り板１２Ｅにより底板１２Ａ、側板１２Ｂ，１２Ｂおよび妻板１２Ｃ，１２Ｃの端部の厚みが増し、棺本体１２の強度が高められる。
【００２９】
図１および図３に示すように、底板１２Ａの前後の各端部には底板枠材１５Ａが取り付けられる。同様に、側板１２Ｂ，１２Ｂの前後の各端部には側板枠材１５Ｂが取り付けられる。これらの枠材は、木製の角材を加工してなるもので、底板１２Ａおよび側板１２Ｂ，１２Ｂの前後の各端面に段差なく連なる。つまり、強化段ボールの各板と木材の各枠材とが一体となって展開シートＰ（図７参照）になる。
一方、妻板１２Ｃの左右の各端部には、木製の角材からなる妻板枠材１５Ｃが取り付けられる。妻板枠材１５Ｃは、妻板１２Ｃの左右の各端面に段差なく連なる。強化段ボールの妻板１２Ｃと木材の妻板枠材１５Ｃとが一体となって一枚板の形状（図６参照）になる。
【００３０】
側板枠材１５Ｂと妻板枠材１５Ｃとのそれぞれ向き合う端面には、高さ方向に沿って係合溝１６ａおよび係合突起１６ｂが形成される（図３および図４参照）。すなわち、側板枠材１５Ｂ，１５Ｂの左右に向き合う端面に係合溝１６ａ，１６ａが高さ方向に連なり、妻板枠材１５Ｃの左右端面に、これらの係合溝１６ａ，１６ａに嵌合可能な係合突起１６ｂ，１６ｂが高さ方向に連なる。
【００３１】
係合溝１６ａは、アリ溝状に形成されるもので、その溝底部の幅が開口部の幅よりも広い。係合突起１６ｂは、横断面ほぼ台形で連なる凸条であり、その付け根部の幅が先端部の幅よりも狭い。係合溝１６ａの上端から係合突起１６ｂをスライド挿入すると、係合溝１６ａ内に係合突起１６ｂがほぼぴったり収まる。つまり、係合溝１６ａと係合突起１６ｂとは、互いに溝長さ方向には移動可能であるが、溝深さ方向には移動できない関係になる。
【００３２】
底板枠材１５Ａと側板枠材１５Ｂとの互いに向き合う端面には、ダボ穴１７ａおよびダボ１７ｂが設けられる（図３および図６参照）。ダボ穴１７ａは、底板枠材１５Ａの上端面に左右２箇所に配置される。ダボ１７ｂは、側板１２Ｂの下端面に左右２箇所に配置される。側板１２Ｂ，１２Ｂの間に妻板１２Ｃを落とし込むとき、ダボ穴１７ａとダボ１７ｂとの位置が一致する。
【００３３】
側板枠材１５Ｂ、妻板枠材１５Ｃおよび底板枠材１５Ａには、棺本体１の外観には表れない部位に固定片１８が一体的に延びている（図５および図６参照）。この固定片１８は、各枠材の長さ方向に均一な厚みと幅を保って連なる。
図５に示すように、側板１２Ｂと側板枠材１５Ｂとの取付部分では、側板１２Ｂの折返し板１２Ｄに固定片１８の上端部が覆われ、側板１２Ｂの内張り板１２Ｅに固定片１８の残りの部分が覆われる。固定片１８の先端側には、側板１２Ｂとその内張り板１２Ｅとの隙間を埋める強化段ボールの中間板１２Ｆが固定される。
同様に、妻板１２Ｃと妻板枠材１５Ｃとの取付部分では、妻板１２Ｃの折返し板１２Ｄに固定片１８の上端部が覆われ、妻板１２Ｃの内張り板１２Ｅに固定片１８の残りの部分が覆われる（図６参照）。固定片１８の先端側には、妻板１２Ｃとその内張り板１２Ｅとの隙間を埋める強化段ボールの中間板１２Ｆが固定される。
【００３４】
底板１２Ａと底板枠材１５Ａとの取付部分では、底板１２Ａの内張り板１２Ｅに底板枠材１５Ａの固定片１８（図示省略）の上面が覆われる。この固定片１８の先端側には、底板１２Ａとその内張り板１２Ｅとの隙間を埋める強化段ボールの中間板１２Ｆ（図示省略）が固定される。
このように固定片１８が強化段ボールの各板に覆われた状態で、互いの接触面が接着固定されることで、強化段ボールの各板と木材の各枠材とが互いに分離しないようになっている。
【００３５】
次に、底板１２Ａと側板１２Ｂ，１２Ｂとを組み立てるための展開シートを図７に示した。
図７に示すように、展開シートＰには、矩形の底板１２Ａの左右に側板１２Ｂ，１２Ｂが設けられる。底板１２Ａと側板１２Ｂ，１２Ｂとの境界には、ほぼ９０゜角断面のＶ溝ｖが直線上に連なる。展開シートＰは、これらのＶ溝ｖに沿ってほぼ垂直に折り曲げられることになる。底板１２Ａおよび側板１２Ｂ，１２Ｂの前後の端部（図７の上下端部）には、前述したように、底板枠材１５Ａおよび側板枠材１５Ｂが固定片１８を介して固定される。
【００３６】
底板枠材１５Ａと側板枠材１５Ｂとの互いに向き合う端部（棺本体１２の棺底角部に相当する部分）には、三枚組接ぎ構造（位置決め手段）が採用されている（図８参照）。つまり、この実施形態では、側板枠材１５Ｂの端部にほぞ溝１９ａが形成され、底板枠材１５Ａの端部にほぞ溝１９ａに嵌るほぞ片１９ｂが形成される。展開シートＰの展開状態では、ほぞ溝１９ａとほぞ片１９ｂの先端が共にＶ溝ｖのほぼ中間の境界線上にある。底板１２Ａの左右でＶ溝ｖに沿って側板１２Ｂ，１２Ｂを折り曲げると、ほぞ溝１９ａにほぞ片１９ｂが摺動自在に嵌って底板枠材１５Ａと側板枠材１５Ｂと隙間を埋める。側板１２Ｂ，１２Ｂを元の展開状態に戻すと、側板枠材１５Ｂの動きに伴ってほぞ溝１９ａからほぞ片１９ｂが外れる。
【００３７】
展開シートＰから棺本体１２を組み立てる場合、まず、底板１２Ａの左右で側板１２Ｂ，１２ＢをＶ溝ｖに沿って上向きコ字状に折り曲げる。このとき、前述したように、側板枠材１５Ｂのほぞ溝１９ａに底板枠材１５Ａのほぞ片１９ｂが嵌る。このようにほぞ溝１９ａにほぞ片１９ｂが嵌ることで、底板１２Ａと側板１２Ｂ，１２Ｂとが前後方向に位置決めされる。つまり、ほぞ溝１９ａにほぞ片１９ｂが案内されることにより、底板１２Ａの左右に側板１２Ｂ，１２Ｂを正確な位置を保って立ち上げられることになる。
【００３８】
上向き折り曲げた展開シートＰを仮止めした状態で、図３に示すように、底板１２Ａの前後の端部に妻板１２Ｃを落とし込む。このとき、妻板枠材１５Ｃの両端の係合突起１６ｂを、左右に向き合う側板枠材１５Ｂの係合溝１６ａに上方からスライド挿入し、側板１２Ｂ，１２Ｂの外側への展開をロックする。同時に、底板枠材１５Ａのダボ穴１７ａ，１７ａに側板１２Ｂ，１２Ｂのダボ１７ｂ，１７ｂを嵌めて底板１２Ａに対し妻板１２Ｃを前後方向に位置決めする。
【００３９】
このように展開シートＰと２枚の妻板１２Ｃとにより箱状の棺本体１２を組み立てた後、図１に示すように、棺本体１２の上方に、予め作製した窓付きの蓋３を載せることで、組立式段ボール棺１０となる。
棺本体１２の組み立て作業は、接着剤を使用することなく行うことができるため、組み立て作業を極めて短時間にすることができる。
また、一旦、棺本体１２を組み立てた後でも、妻板１２Ｃを上方に引き抜けば元の展開状態に戻すことができるため、必要に応じて何度でも棺本体１２の組立および展開の作業を繰り返すことができ、使い勝手が大幅に向上する。
【００４０】
本実施形態の組立式段ボール棺１０によれば、底板枠材１５Ａ、側板枠材１５Ｂおよび妻板枠材１５Ｃが、底板１２Ａ、側板１２Ｂ，１２Ｂおよび妻板１２Ｃ，１２Ｃの各板面とほぼ同一平面上に連なるように取り付けられるため、これらの枠材により段差が生じたり、強化段ボールの断面が見えることもない。これにより、妻板１２Ｃ，１２Ｃの外側および内側に出っ張りが生じるのを解消することができ、一般的な箱形棺と同様な高級感のあるシンプルな棺の外観に仕上げることができる。加えて、妻板１２Ｃ，１２Ｃの内側に出っ張りが生じないため、棺の収納空間を広く確保することができる。
【００４１】
仮に、係合溝１６ａと係合突起１６ｂが強化段ボールに形成される場合には、係合強度を十分に保てないおそれがあるが、本実施形態では、これらの係合部分に敢えて木材の枠材を採用し、この枠材に係合溝１６ａと係合突起１６ｂを形成するため、係合強度を十分に保つことができる。係合部分の枠材に木材を採用することで、木材の使用量を最小限に抑え、段ボール棺としての利点を損なうこともない。
【００４２】
加えて、本実施形態の組立式段ボール棺１０では、側板枠材１５Ｂと底板枠材１５Ａとの継ぎ合わせ部分にほぞ溝１９ａとほぞ片１９ｂを採用したことから、棺本体１２の組立時に底板１２Ａと側板１２Ｂ，１２Ｂとを前後方向に簡単かつ正確に位置決めすることができる。この結果、段ボール棺の寸法精度を向上させることが可能となる。
さらに、段ボール材の特性により底板１２Ａと側板１２Ｂとの間に位置ズレが生じても、図９に示すように、ほぞ溝１９ａでほぞ片１９ｂがスライド移動することで各枠材のズレによる負荷を吸収し、両枠材の間に隙間が生じる不具合を防止することができる。
【００４３】
なお、ほぞ溝１９ａとほぞ片１９ｂとの形状については、図８の形態から図１０（Ａ）または（Ｂ）に示す形態に変更してもよい。
図１０（Ａ）に示す形態は、ほぞ溝１９ａとほぞ片１９ｂの位置関係を図８の形態とは逆にしたものである。すなわち、側板枠材１５Ｂにほぞ溝１９ａ、底板枠材１５Ａにほぞ片１９ｂがそれぞれ配置されている。このような構成によっても、本実施形態と同様な作用・効果を得ることができる。
図１０（Ｂ）に示す形態は、側板枠材１５Ｂと底板枠材１５Ａの両方にそれぞれほぞ溝１９ａおよびほぞ片１９ｂを設けたものである。このような構成によれば、側板枠材１５Ｂと底板枠材１５Ａの継ぎ合わせ部分（ほぞ溝１９ａおよびほぞ片１９ｂ）の形状が同一になるため、これらの加工が容易になる。
側板枠材１５Ｂと底板枠材１５Ａの継ぎ合わせ部分を櫛刃形状にして噛み合わせるようにすることも可能である。
【００４４】
次に、第２実施形態を図１１および図１２に示す。
第２実施形態は、段ボール棺の主要部に、二層強化段ボールに代えて三層強化段ボールを採用したものである。
図１１および図１２に示すように、第２実施形態の組立式段ボール棺は、棺本体１２と蓋１３の主要部が板厚１０〜３０ｍｍ程度の三層段ボール（例えばトライウォール社製）で形成される。三層強化段ボールは、図１０のＲ2部分拡大図に示すように、２枚の厚板（ライナー）Ｒb，Ｒfとの間に、３層の波板ｒ4，ｒ5，ｒ6が仕切り板ｒ7およびｒ8を介して積層されてなるもので、優れた耐圧性・耐水性をもつ。二層強化段ボールと同様に板面にＶ溝加工を施すことにより隣り合う板材を折り曲げることができる。
【００４５】
図１２に示すように、側板枠材１５Ｂおよび妻板枠材１５Ｃは、三層強化段ボールの厚みのほぼ２倍の厚みに設定される。側板枠材１５Ｂおよび妻板枠材１５Ｃの固定片１８は、棺本体１２の内側で側板１２Ｂおよび妻板１２Ｃの板面に接着剤で固定される。
底板枠材１５Ａについても、三層強化段ボールの厚みのほぼ２倍の厚みに設定されており、その固定片１８が底板１２Ａの板面に接着剤で固定される（図示省略）。
上記の実施形態では、棺本体１２の内側に固定片１８が露出することになるが、固定片１８を隠すように、別個の段ボール（内張り板）や布を覆い被せるようにしてもよい。
【００４６】
第２実施形態の構成によれば、棺本体１２と蓋１３に三層強化段ボールを採用することで、各板材の厚みを大きくして段ボール紙面の強度を高めることができる。これにより、耐久性に優れた組立式段ボール棺２０に仕上げることができる。
【００４７】
第３実施形態を図１３に示す。
第３実施形態の段ボール棺３０は、底板枠材１５Ａと側板枠材１５Ｂと継ぎ合わせ部分を傾斜面にしたものである。
底板枠材１５Ａの左右の側端部３１Ａと、側板枠材１５Ｂの下端部３１Ｂとにそれぞれほぼ４５゜角にカットされた傾斜面が形成される。これらの傾斜面が合わさって底板枠材１５Ａと側板枠材１５Ｂがほぼ垂直な位置関係で継ぎ合わされる。
【００４８】
底板枠材１５Ａと側板枠材１５Ｂとの継ぎ合わせ部分には、弾性両面テープ等からなるの粘着シート３２が貼り付けられる。この粘着シート３２は、底板１２Ａと側板１２Ｂ，１２Ｂとの前後方向へのズレを抑制するとともに、底板枠材１５Ａと側板枠材１５Ｂとの間に段ボール伸縮による位置ズレによる隙間が生じた場合に、その弾性によって隙間を隠す。
【００４９】
第３実施形態の構成によれば、底板枠材１５Ａおよび側板枠材１５Ｂの継ぎ合わせ部分の形状がシンプルになるため、その加工作業の負担を軽減することができる。例えば一本の枠材をほぼ４５゜角でカットして底板枠材１５Ａおよび側板枠材１５Ｂのそれぞれの傾斜面を同時に形成することも可能である。これにより、組立式段ボール棺３０の製造コストを抑えることができる。
【００５０】
なお、底板枠材１５Ａの側端部３１Ａと、側板枠材１５Ｂの下端部３１Ｂとの各傾斜面には、これらの位置ズレを防止する位置決め手段（図１４参照）を設けるようにしてもよい。
例えば図１４（Ａ）に示す形態は、側端部３１Ａおよび下端部３１Ｂの傾斜面のほぼ中央にダボ穴３３ａとダボ３３ｂとを設けたものである。この場合、これらの嵌合によって側端部３１Ａと下端部３１Ｂとの位置ズレを防止することができる。
図１４（Ｂ）に示す形態は、側端部３１Ａおよび下端部３１Ｂの傾斜面の途中に係合爪３４Ａ，３４Ｂを設けたものである。この場合、これらの係合爪３４Ａ，３４Ｂが互いに噛み合って側端部３１Ａと下端部３１Ｂとの位置ズレを防止することができる。
【００５１】
図１４（Ｃ）に示す形態は、側端部３１Ａおよび下端部３１Ｂの傾斜面に貫通穴３５ａと貫通ダボ３５ｂを設けたものである。この場合、側端部３１Ａと下端部３１Ｂの傾斜面を合わせた後、貫通穴３５ａに貫通ダボ３５ｂを挿し込むことで、側端部３１Ａと下端部３１Ｂとの位置ズレを防止することができる。
このように側端部３１Ａおよび下端部３１Ｂの傾斜面の位置ズレを防止することで、段ボール棺３０の組み立て作業を容易にし、その仕上がりの寸法精度を良好にすることができる。
【００５２】
以上、第１〜第３実施形態を説明したが、本考案の実施形態は、これらに限られることなく、種々の変形を伴ってもよい。
例えば第１〜第３実施形態では、底板枠材１５Ａ、側板枠材１５Ｂおよび妻板枠材１５Ｃの材料に木材を採用したが、これらの枠材に樹脂を採用してもよい。採用する樹脂は、特に限定されないが、望ましくは火葬時に炉内温度に影響を与えることなく、適度な時間で焼失するものであるとよい。
妻板１２Ｃの材料としては、強化段ボールを採用することが望ましいが、強化段ボール以外の材料、例えば木材や樹脂を採用することもできる。
第１〜第３実施形態では、左右の側板１２Ｂ，１２Ｂの間に妻板１２Ｃを落とし込む構成としているが、係合溝１６ａと係合突起１６ｂの位置関係を前後方向に配置することで、側板１２Ｂ，１２Ｂの前後に隣接する位置に妻板枠材１２Ｃを落とし込んで側板１２Ｂ，１２Ｂの展開をロックするようにしてもよい。
【００５３】
側板枠材１５Ｂまたは妻板枠材１５Ｃのうち、係合突起１６ｂを含む部分に樹脂部品を採用してもよい。図１５に示す変形例（１）では、側板枠材１５Ｂの係合溝１９ａと同一形状のアリ溝が妻板枠材１５Ｃに設けられ、このアリ溝に係合突起１９ｂを含む樹脂部品４１が高さ方向に嵌め込まれる。
このように樹脂部品を採用することで、樹脂成形により係合突起１９ｂを正確な寸法でかつ安価に量産することができる。また、側板枠材１５Ｂと妻板枠材１５Ｃとの溝形状（係合溝１９ａ）が同一であるから、これらの枠材の加工を共通の機械を用いて効率よく行うことができる。
【００５４】
係合溝１６ａと係合突起１６ｂとの位置関係を逆にしてもよい。図１６（Ａ）に示す変形例（２）では、妻板枠材１５Ｃの端面に係合溝４３ａが設けられ、側板枠材１５Ｂの端面に係合突起４３ｂが設けられる。このような構成によっても、前述した実施形態１〜３と同様な効果を得ることができる。
係合溝１６ａと係合突起１６ｂとの位置関係を逆にする場合、図１６（Ｂ）および（Ｃ）に示すように、係合溝４３ａの上端部に溝空間を覆う目隠し部４３ｃを設けてもよい。目隠し部４３ｃは、側板枠材１５Ｂと妻板枠材１５Ｃの上面の境界に沿ってその先端がカットされる。このような構成によれば、係合溝４３ａと係合突起４３ｂの係合部分を棺の外観に見えなくしてその仕上がりをさらに良好にすることができる。
【００５５】
図１７に示すように、左右の側板１２Ｂ，１２Ｂの適当な位置に切り込みを入れて、底板１２Ａの裏側に折り畳める構造を採用してもよい。例えば図１７に示す変形例（３）では、右側の側板１２Ｂに、底板１２Ａの板面から強化段ボールの板厚に相当する距離を保って切り込みＺが設けられる。この切り込みＺは、強化段ボールの外側の一層（ライナー）のみを残して他の層を切断して形成されたものである。
【００５６】
このような構成によれば、展開シートＰを保管・運搬する場合、図１７の矢印に示すように、折返し板１２Ｄを拡げた状態で、図１７左側の側板１２Ｂを外向きに折り返し、図１７右側の側板１２Ｂを切り込みＺにより強化段ボールの板厚分だけズレた位置で底板１２Ａの裏側に折り返す。すると、左右の側板１２Ｂ，１２Ｂが底板１２Ａの下側に互い違いに折り畳まれて重なる。これにより、底板１２Ａの板幅の範囲内で、展開シートＰを強化段ボール３枚分の厚みで折り畳んでコンパクトにまとめてることができ、保管・運搬の作業性を良好にすることができる。
【符号の説明】
【００５７】
１０・・組立式段ボール棺    １２・・棺本体    １３・・蓋    １４・・窓枠
１２Ａ・・底板    １２Ｂ・・側板    １２Ｃ・・妻板
１２Ｄ・・折返し板    １２Ｅ・・内張り板    １２Ｆ・・中間板
１５Ａ・・底板枠材    １５Ｂ・・側板枠材    １５Ｃ・・妻板枠材
１６ａ・・係合溝    １６ｂ・・係合突起
１７ａ・・ダボ穴    １７ｂ・・ダボ    １８・・固定片
１９ａ・・ほぞ溝（位置決め手段）    １９ｂ・・ほぞ片（位置決め手段）
Ｐ・・展開シート
ｖ・・Ｖ溝
【図１】
0003201243.tif 000003
【図２】
0003201243.tif 000004
【図３】
0003201243.tif 000005
【図４】
0003201243.tif 000006
【図５】
0003201243.tif 000007
【図６】
0003201243.tif 000008
【図７】
0003201243.tif 000009
【図８】
0003201243.tif 000010
【図９】
0003201243.tif 000011
【図１０】
0003201243.tif 000012
【図１１】
0003201243.tif 000013
【図１２】
0003201243.tif 000014
【図１３】
0003201243.tif 000015
【図１４】
0003201243.tif 000016
【図１５】
0003201243.tif 000017
【図１６】
0003201243.tif 000018
【図１７】
0003201243.tif 000019
【図１８】
0003201243.tif 000020